(57)【要約】【課題】設置スペースを増大させることなしに電子装置のメンテナンス作業の作業性を向上させることができる電子装置を提供すること。【解決手段】卓上部２２の端部に形成された平面部３１ａおよび垂直部３１ｂを備えた段状の端子板取付け部３１に端子板２８を設置し、ネジ３３を取外して端子板２８を端子板取付け部３１から取外したときに、内部端子２７および外部端子２９が取付けられた状態で端子板２８を開口部３４を通して卓上部２２内に移動させる。【選択図】      図２
2004247683.tif 000002
【特許請求の範囲】
【請求項１】
電子機器を内蔵した筐体の端部に形成され、平面部および前記平面部から略上方に屈曲して延在する垂直部を備えた段状の端子板取付け部と、前記端子板取付け部に固定部材によって着脱自在に設けられ、前記電子機器から延在する内部配線の内部端子と外部電子機器から延在する外部配線の外部端子とを接続可能な端子板とを備え、前記端子板取付け部に、前記端子板に前記内部端子および前記外部端子が取付けられた状態で前記端子板を前記筐体の内外に通過させるための開口部を形成したことを特徴とする電子装置。
【請求項２】
前記端子板は、前記平面部に対向する基部と、前記基部から屈曲し前記垂直部に対向する屈曲部とを備え、前記内部端子および前記外部端子が前記基部に取付けられるとともに、前記固定部材が前記基部を前記平面部に固定することを特徴とする請求項１記載の電子装置。
【請求項３】
前記基部は、前記平面部の上面に設置され、前記固定部材によって前記平面部に固定されることを特徴とする請求項２記載の電子装置。
【請求項４】
前記開口部は、前記平面部および前記垂直部の一部分に亘って形成され、前記屈曲部は前記垂直部に形成された開口部を閉塞するように前記筐体の内部に位置することを特徴とする請求項３記載の電子装置。
【発明の詳細な説明】
【０００１】
【発明の属する技術分野】
本発明は、電子装置に関し、詳しくは、電子装置の筐体の端部に、筐体に内蔵された電子機器と外部電子機器とを接続する接続部が設けられた電子装置に関する。
【０００２】
【従来の技術】
従来から、電子装置、例えば、音響調整装置、複合ファクシミリ装置、大型コンピュータ等にあっては、その電子装置に関連する周辺機器と複雑なレイアウトのワイヤハーネスによって接続されており、電子装置のメンテナンスを行う際に電子装置と周辺装置の接続を外して、すなわち、電子装置と周辺装置のコネクタ同士を外した状態で電子装置を分解し、電子装置に内蔵された電子機器の交換や点検等のメンテナンスを行うことがある。
【０００３】
この場合には、電子装置と周辺機器とを接続した状態で種々の動作が正常に行われるか否かを検査する必要があるため、電子装置と周辺装置のコネクタを再接続して電子装置の検査を行うようになっている。
【０００４】
ところで、このように一旦、電子装置と周辺機器のコネクタを外して電子装置を分解した後、コネクタを再接続する場合には、コネクタを着脱する作業が発生するため、コネクタの数が多くなる程この作業を行う時間、労力が増大してしまい、メンテナンス作業の作業性が悪化してしまうという不具合が発生してしまう。
【０００５】
このような不具合を解消するものとしては、特許文献１に示すようなものがあり、例えば、図７、図８のように示される。
【０００６】
図７、図８において、機器ケース１の前面側にはネジ１０によって前面パネル１１が取付けられており、機器ケース１の後面部１２にはボックス２が設けられ、このボックス２はネジ３によって機器ケース１に取付けられている。
【０００７】
また、ボックス２にはプリント基板１４が内蔵されており、このプリント基板１４の配線の端子４は端子取付け板５に取付けられている。この端子取付け板５は機器ケース１の開口部１３の開口面積よりも小さい面積に形成されており、開口部１３を通してネジ６によってボックス２に取付けられている。
【０００８】
また、端子４は接続部９によって接続コネクタ８に接続されており、この接続コネクタ８は接続ケーブル７を介して図示しない外部機器に接続されている。
【０００９】
このような構成を有する電子装置にあっては、ネジ１０を取外して前面パネル１１を機器ケース１から取外した後、ネジ３を取外してボックス２を機器ケース１の前面側（前面パネル１１側）に移動させる。このとき、端子４と接続コネクタ８が開口部１３を通してボックス２と共に機器ケース１の前面側に移動するので、端子４と接続コネクタ８を一体化したままで機器ケース１の前面側の広い空間に引出すことができ、端子４と接続コネクタ８の接続状態やプリント基板１４の交換や点検等のメンテナンスを行うことができる。
【００１０】
【特許文献１】
実開昭６２−１６０５８４号公報
【００１１】
【発明が解決しようとする課題】
しかしながら、このような従来の電子装置にあっては、端子取付け板５が機器ケース１の後面側に取付けられているので、例えば、大型な機器ケース１の前面パネル１１を壁側に設置した場合には、プリント基板１４等のメンテナンスを行う際に、機器ケース１を壁から離して前面パネル１１のネジ１０やボックス２のネジ３を取外すためのスペースを確保しなければならず、結果的に機器ケースの移動範囲を含んだ広い設置スペースが必要になってしまう上に、重量のある機器ケース１を移動させる分だけメンテナンスに要する労力や時間が増大してしまい、プリント基板等のメンテナンス作業の作業性が悪化してしまうという問題があった。
【００１２】
本発明は、上記従来の問題を解決するもので、設置スペースを増大させることなしに電子装置のメンテナンス作業の作業性を向上させることができる電子装置を提供するものである。
【００１３】
【課題を解決するための手段】
本発明の電子装置は、電子機器を内蔵した筐体の端部に形成され、平面部および前記平面部から略上方に屈曲して延在する垂直部を備えた段状の端子板取付け部と、前記端子板取付け部に固定部材によって着脱自在に設けられ、前記電子機器から延在する内部配線の内部端子と外部電子機器から延在する外部配線の外部端子とを接続可能な端子板とを備え、前記端子板取付け部に、前記端子板に前記内部端子および前記外部端子が取付けられた状態で前記端子板を前記筐体の内外に通過させるための開口部を形成したものから構成される。
【００１４】
このような構成により、筐体の端部に形成された平面部および垂直部を備えた段状の端子板取付け部に端子板を設置し、固定部材を取外して端子板を端子板取付け部から取外したときに、内部端子および外部端子が取付けられた状態で端子板を開口部を通して筐体内に移動させることができるので、筐体を壁側に設置した場合であっても筐体を移動させることなしに端子板を取外すことができ、その後、内部端子および外部端子を介して筐体内の電子機器と外部電子機器とを接続した状態で電子装置のメンテナンスを行うことができる。この結果、筐体の設置面積が増大するのを防止することができるとともにメンテナンス作業を簡単、かつ短時間で行うことができる。
【００１５】
また、端子板が断面Ｌ字形状をしているので、内部端子から外部端子を取外す際に端子板に外力が加わった場合でも、屈曲部分により荷重を受けることができ、端子板が湾曲するのを防止することができる。
【００１６】
また、本発明の電子装置は、前記端子板は、前記平面部に対向する基部と、前記基部から屈曲し前記垂直部に対向する屈曲部とを備え、前記内部端子および前記外部端子が前記基部に取付けられるとともに、前記固定部材が前記基部を前記平面部に固定するものから構成される。
【００１７】
このような構成により、ネジ等の固定部材によって端子板を端子板取付け部に取付け、取外す作業を行う際に、ネジ等を上方から端子板および端子板取付け部に取付け、取外す作業を行うことができる。このため、筐体を壁から離さずに筐体と壁の間の少ないスペースで端子板の着脱作業を行うことができ、メンテナンス作業の作業性をより一層向上させることができる。
【００１８】
また、本発明の電子装置は、前記基部は、前記平面部の上面に設置され、前記固定部材によって前記平面部に固定されるものから構成される。
【００１９】
このような構成により、端子板取付け部から端子板を取外す際に、端子板が筐体内に落下するのを防止することができ、端子板が筐体内の電子機器と接触して電子機器が損傷したり、端子板に取付けられた内部端子または外部端子が電子機器と接触して短絡するのを防止することができる。
【００２０】
また、本発明の電子装置は、前記開口部は、前記平面部および前記垂直部の一部分に亘って形成され、前記屈曲部は前記垂直部に形成された開口部を閉塞するように前記筐体の内部に位置するものから構成される。
【００２１】
このような構成により、端子板が端子板取付け部に取付けられたときに、垂直部に形成された開口部が屈曲部によって閉塞されるので、開口部が外側から見えて電子装置の見栄えが損われるのを防止することができる。
【００２２】
【発明の実施の形態】
以下、本発明の実施の形態を図面に基づいて説明する。
図１乃至図６は本発明に係る電子装置の一実施の形態を示す図である。なお、本実施の形態は、電子装置として、コンサート会場、ラジオ局、テレビ局、アミューズメントパーク等に設置された設備用音響調整装置を例にして説明する。
【００２３】
図１において、設備用音響調整装置（以下、単に調整装置という）２１は、マイク２１ａ、ボリュームやイコライザ等の調整スイッチ２１ｂを備えており、このマイク２１ａや調整スイッチ２１ｂ等は卓上部（筐体）２２の操作パネル３５に取付けられている。
【００２４】
この卓上部２２には脚部２３が設けられており、卓上部２２および脚部２３によって調整装置２１が構成されている。なお、この調整装置２１は壁に近接、または当接した状態で設置されている。
【００２５】
卓上部２２にはマイク２１ａや調整スイッチ２１ｂ等を制御するための電子機器（図示略）が内蔵されており、図２乃至図４に示すように、この電子機器のプリント基板（電子機器に含まれる）２４は内部配線２５を介して端子基板２６に接続されている。この端子基板２６には複数の内部端子２７が設けられており、この内部端子２７は端子板２８に取付けられている。
【００２６】
この端子板２８には複数の外部端子２９が取付けられており、この外部端子２９は外部配線３０を介して外部の電子機器、すなわち、調整装置２１に接続されて調整装置２１と共に所定の音響システムを構築するスピーカーや他の音響装置等に接続され、端子板２８を介して内部端子２７に着脱自在になっている。
【００２７】
この端子板２８は基部２８ａと基部２８ａから屈曲された屈曲部２８ｂを備えた略Ｌ字形状をしており、端子板取付け部３１に着脱自在になっている。端子板取付け部３１は壁３２（図４参照）側の卓上部２２の端部に形成されており、この端子板取付け部３１は平面部３１ａおよび平面部３１ａから略上方に屈曲して延在する垂直部３１ｂを備えた段状に形成されている。
【００２８】
このため、端子板２８は基部２８ａが平面部３１ａに対向しているとともに屈曲部２８ｂが垂直部３１ｂに対向している。また、内部端子２７および外部端子２９は基部２８ａに取付けられている。
【００２９】
また、基部２８ａは平面部３１ａの上面に設置されており、基部２８ａが複数のネジ（固定部材）３３によって平面部３１ａに固定されることにより、端子板２８が端子板取付け部３１に取付けられるようになっている。なお、基部２８ａおよび平面部３１ａにはネジ３３が螺合されるネジ穴３３ａ、３３ｂがそれぞれ形成されている。
【００３０】
また、平面部３１ａおよび垂直部３１ｂには開口部３４が形成されており、開口部３４の内、屈曲部２８ｂは平面部３１ａを閉塞するように卓上部２２の内部に位置している。
【００３１】
したがって、端子板２８は内部端子２７および外部端子２９が取付けられた状態で開口部３４を通して卓上部２２の内外に通過可能になっている。なお、開口部３４の内、平面部３１ａに形成された第２開口部３４ｂは内部端子２７の逃し用の開口部を兼ねており、この第２開口部３４ｂは基部２８ａによって閉塞される。
【００３２】
また、マイク２１ａや調整スイッチ２１ｂが取付けられた卓上部２２の操作パネル３５は卓上部２２に形成された図示しない回動軸を支点にして卓上部２２を開放および閉塞するように回動自在になっており、開放時に卓上部２２の内部の電子機器を露出するようになっている。
【００３３】
なお、図４は、卓上部２２にカバー３６を取付けた状態を示しており、カバー３６を取外すと図１に示すようにマイク２１ａや調整スイッチ２１ｂが露出するようになっている。
【００３４】
次に、電子装置のメンテナンス方法を説明する。
【００３５】
電子装置に内蔵された電子機器の点検、交換等のメンテナンスを行う場合には、まず、図４に示すように卓上部２２に設けられたネジ３３を図示しない工具によって矢印方向に示すように取外した後、図５に示すように、回動軸を支点にして操作パネル３５を開放する。
【００３６】
次いで、端子板２８に内部端子２７および外部端子２９を取付けた状態で端子板２８を開口部３４を通して卓上部２２の内部に移動させる（このときの状態を図５に示し、端子板取付け部３１と端子板２８の斜視図を図６に示す）。
【００３７】
次いで、内部端子２７および外部端子２９が接続された状態で電子機器の点検を行い、異常が発見された場合には電子機器を交換する。その後、電子機器の点検または交換作業が終了したときに、内部端子２７および外部端子２９が接続された状態で端子板２８を開口部３４を通して端子板取付け部３１に移動させる。
【００３８】
このとき、屈曲部２８ｂが第１開口部３４ａの周縁の端子板取付け部３１に当接して基部２８ａと平面部３１ａのネジ穴３３ａ、３３ｂが重なるので、この状態でネジ３３によって平面部３１ａに基部２８ａを固定する。
【００３９】
以上説明したように、卓上部２２の端部に形成された平面部３１ａおよび垂直部３１ｂを備えた段状の端子板取付け部３１に端子板２８を設置し、ネジ３３を取外して端子板２８を端子板取付け部３１から取外したときに、内部端子２７および外部端子２９が取付けられた状態で端子板２８を開口部３４を通して卓上部２２内に移動させることができるので、調整装置２１を壁３２側に設置した場合であっても調整装置２１を移動させることなしに端子板２８を取外すことができ、その後、内部端子２７および外部端子２９を介して電子機器と外部電子機器とを接続した状態で調整装置２１のメンテナンスを行うことができる。この結果、調整装置（卓上部２２）の設置面積が増大するのを防止することができるとともにメンテナンス作業を簡単、かつ短時間で行うことができる。
【００４０】
また、端子板２８が断面Ｌ字形状をしているので、内部端子２７から外部端子２９を取外す際に端子板２８に外力が加わった場合でも、屈曲部２８ｂにより荷重を受けることができ、基部２８ａが湾曲するのを防止することができる。
【００４１】
また、本実施の形態では、内部端子２７および外部端子２９を基部２８ａに取付けるとともに、ネジ３３により基部２８ａを平面部３１ａに固定するようになっているので、工具によってネジ３３を端子板２８および端子板取付け部３１に取付け、取外す作業を行う際に、上方からネジ３３の取付け、取外し作業を行うことができる。このため、調整装置２１を壁３２から離さずに卓上部２２と壁３２の間の少ないスペースで端子板２８の着脱作業を行うことができ、メンテナンス作業の作業性をより一層向上させることができる。
【００４２】
また、本実施の形態では、基部２８ａを平面部３１ａの上面に設置し、ネジ３３によって平面部３１ａに固定するようにしたので、端子板取付け部３１から端子板２８を取外す際に、端子板２８が卓上部２２内に落下するのを防止することができ、端子板２８が卓上部２２内の電子機器と接触して電子機器が損傷したり、端子板２８に取付けられた内部端子２７または外部端子２９が電子機器と接触して短絡するのを防止することができる。
【００４３】
また、本実施の形態では、端子板２８が端子板取付け部３１に取付けられたときに、基部２８ａが平面部３１ａの上面に設置されて基部２８ａによって第２開口部３４ｂが閉塞されるとともに、垂直部３１ｂに形成された第１開口部３４ａが屈曲部２８ｂによって閉塞されるので、第１開口部３１ａおよび第２開口部３１ｂが外側から見えて調整装置２１の見栄えが損われるのを防止することができる。
【００４４】
【発明の効果】
本発明によれば、設置スペースを増大させることなしに電子装置のメンテナンス作業の作業性を向上させることができる電子装置を提供することができる。
【図面の簡単な説明】
【図１】本発明の一実施の形態の電子装置の外観図
【図２】本発明の一実施の形態の電子装置の端部斜視図
【図３】本発明の一実施の形態の電子装置の端部後面図
【図４】本発明の一実施の形態の電子装置の端部断面図
【図５】本発明の一実施の形態の電子装置の操作パネルを開放して端子板を卓上部内に移動させた状態を示す端部断面図
【図６】本発明の一実施の形態の電子装置の端子板と端子板取付け部の分解図
【図７】従来の電子装置の横断面図
【図８】従来の電子装置の機器ケースとボックスの分解図
【符号の説明】
２１    設備用音響調整装置
２２    卓上部（筐体）
２４    プリント基板（電子機器）
２５    内部配線
２７    内部端子
２８    端子板
２８ａ    基部
２８ｂ    屈曲部
２９    外部端子
３０    外部配線
３１    端子板取付け部
３１ａ    平面部
３１ｂ    垂直部
３４    開口部
３４ａ    第１開口部
【図１】
2004247683.tif 000003
【図２】
2004247683.tif 000004
【図３】
2004247683.tif 000005
【図４】
2004247683.tif 000006
【図５】
2004247683.tif 000007
【図６】
2004247683.tif 000008
【図７】
2004247683.tif 000009
【図８】
2004247683.tif 000010